(57)【要約】      （修正有）【課題】キートップの角部において、上下方向のがたつきを抑制することができるキーボードを提供する。【解決手段】キーボードは、キートップ５と、キートップ５に装着され、上下に摺動し、ラバーカップ１４を介して接点６０を押圧するスライダ２１と、キートップ５に装着され、上下に摺動しない非スライダ２２と、スライダ２１及び非スライダ２２を支持する支持部１２ａとを備える。スライダ２１は、Ｘ方向でキートップ５によって拘束され、Ｘ方向と垂直なＹ方向に移動可能である。非スライダ２２は、スライダ２１と対角に配置され、Ｘ方向に移動可能であり、Ｙ方向でキートップ５によって拘束される。【選択図】図３
2018005700.tif 000002
【特許請求の範囲】
【請求項１】
キートップと、
前記キートップに装着され、上下に摺動し、弾性部材を介して接点を押圧する摺動部材と、
前記キートップに装着され、上下に摺動しない非摺動部材と、
前記摺動部材及び前記非摺動部材を支持する支持部とを備え、
前記摺動部材は、第１の方向で前記キートップによって拘束され、前記第１の方向と垂直な第２の方向に移動可能であり、
前記非摺動部材は、前記摺動部材と対角に配置され、前記第１の方向に移動可能であり、前記第２の方向で前記キートップによって拘束される
ことを特徴とするキーボード。
【請求項２】
前記キートップは、裏面から下方に突出する突出部と、前記摺動部材の一部及び前記非摺動部材の一部を取り囲む壁部とを有し、
前記摺動部材は、前記支持部に対して摺動する第１内側壁部及び第１外側壁部を有し、
前記非摺動部材は、前記突出部が挿入される穴と、前記支持部に対向する第２内側壁部及び第２外側壁部と、前記第２外側壁部の下端から水平に伸張するつば部とを有し、
前記第２の方向において、前記第１外側壁部と前記壁部との間、並びに前記第１内側壁部及び前記第１外側壁部と前記支持部との間に空隙が形成されており、
前記第１の方向において、前記第２内側壁部と前記突出部との間、前記第２内側壁部及び前記第２外側壁部と前記支持部との間、並びに前記つば部と前記壁部との間に空隙が形成されている
ことを特徴とする請求項１に記載のキーボード。
【請求項３】
前記支持部は、Ｋ行×Ｌ列（Ｋ，Ｌは、２以上の整数）で配置され、
前記摺動部材及び前記非摺動部材は、Ｋ×Ｌ個の支持部のうち、対角の角に配置された２つの支持部にそれぞれ装着され、
前記キートップは、前記Ｋ×Ｌ個の支持部に対応する面積を有することを特徴とする請求項１又は２に記載のキーボード。
【発明の詳細な説明】
【技術分野】
【０００１】
本発明は、キーボードに関する。
【背景技術】
【０００２】
従来より、キートップのレイアウト及びキートップの大きさを変更できるキーボードが知られている（例えば、特許文献１参照）。このキーボードでは、１倍寸法のキートップから２倍寸法のキートップに交換した場合に、２倍寸法のキートップに固定された２つスライダのうち、一方のスライダがキー入力用の接点を押下し、他方のスライダがキー入力用の接点を押下しない構造を有する。この構成により、キートップサイズの拡大化による操作荷重の増加を抑制している。
【先行技術文献】
【特許文献】
【０００３】
【特許文献１】特開２０１４−８２０９９号公報
【発明の概要】
【発明が解決しようとする課題】
【０００４】
ところで、４倍寸法のキートップ又は９倍寸法のキートップのように、キートップサイズが拡大すると、キートップの角部において、上下方向のがたつきが大きくなる場合がある。このような状態でキートップの角部が押下されると、キー入力用の接点がオンしない、つまりキー入力が実行されない状態が発生するおそれがある。
【０００５】
本発明の目的は、キートップの角部において、上下方向のがたつきを抑制することができるキーボードを提供することにある。
【課題を解決するための手段】
【０００６】
上記目的を達成するため、明細書に開示されたキーボードは、キートップと、前記キートップに装着され、上下に摺動し、弾性部材を介して接点を押圧する摺動部材と、前記キートップに装着され、上下に摺動しない非摺動部材と、前記摺動部材及び前記非摺動部材を支持する支持部とを備え、前記摺動部材は、第１の方向で前記キートップによって拘束され、前記第１の方向と垂直な第２の方向に移動可能であり、前記非摺動部材は、前記摺動部材と対角に配置され、前記第１の方向に移動可能であり、前記第２の方向で前記キートップによって拘束されることを特徴とする。
【発明の効果】
【０００７】
本発明によれば、キートップの角部において、上下方向のがたつきを抑制することができる。
【図面の簡単な説明】
【０００８】
【図１】（Ａ）は、本実施の形態に係るキーボードの第１の状態を説明する概略斜視図である。（Ｂ）は、本実施の形態におけるキーボードの第２の状態を説明する概略斜視図である。
【図２】（Ａ）は、図１（Ａ）のＡ−Ａ線の断面図である。（Ｂ）は、図１（Ａ）のＢ−Ｂ線の断面図である。
【図３】４倍寸法のキートップが配置されているキーボードの分解斜視図である。
【図４】スライダ及び非スライダが装着されたキートップの裏面を示す図である。
【図５】キーボードが組み立てられた場合の図３のＣ−Ｃ線の断面図である。
【図６】キーボードが組み立てられた場合の図３のＤ−Ｄ線の断面図である。
【図７】（Ａ）は、本実施の形態に係るスライダ及び非スライダとキートップと間の拘束及びがたつきを示す図である。（Ｂ）は、比較例に係るスライダ及び非スライダとキートップと間の拘束及びがたつきを示す図である。
【図８】（Ａ）は、Ｘ方向から見た場合の図７（Ａ）のスライダ及び非スライダが装着されたキートップの側面図である。（Ｂ）は、図７（Ｂ）のα方向から見た場合の図７（Ｂ）のスライダ及び非スライダが装着されたキートップの側面図である。
【発明を実施するための形態】
【０００９】
以下、図面を参照しながら本発明の実施の形態を説明する。本実施の形態では、ＰＯＳ（Point  of  Sales）システムで採用されているキーボードを例示して説明する。
【００１０】
図１（Ａ）は、本実施の形態に係るキーボードの第１の状態を説明する概略斜視図である。本実施の形態に係るキーボード２には、複数のキースイッチ装置が配置されている。キースイッチ装置は、キートップが押下されることにより移動する移動部材と、移動部材を支持し、移動部材の移動により電極同士が接続される接点を有するユニット部とを含む。尚、移動部材及びユニット部の詳細については後述する。
【００１１】
第１の状態においては、表面形状が異なるキートップ４及び５が配置されている。キートップ４は、１つのユニット部に対応する１倍寸法のキートップである。キートップ５は、複数のユニット部（具体的には、４つのユニット部）に対応し、キートップ４のほぼ４倍の面積の押圧面を有する４倍寸法のキートップである。領域９１は、４倍寸法のキートップ５が配置されている領域である。また、接続ユニット部５０は、後述するように、複数のユニット部のうち、キートップ５を押圧したときに接点の電極同士が接続されるユニット部である。
【００１２】
図１（Ｂ）は、本実施の形態におけるキーボードの第２の状態を説明する概略斜視図である。第２の状態においては、各ユニット部に対して１倍寸法のキートップ４が配置されている。本実施の形態におけるキーボード２は、図１（Ａ）及び図１（Ｂ）に示すように、キートップの大きさが変更可能に形成されている。例えば、図１（Ｂ）の領域９１に示す４個のキートップ４を取り外して、図１（Ａ）に示す１個のキートップ５を取り付けることができる。
【００１３】
図２（Ａ）は、図１（Ａ）のＡ−Ａ線の断面図であり、図２（Ｂ）は、図１（Ａ）のＢ−Ｂ線の断面図である。
【００１４】
図２（Ａ），（Ｂ）のキースイッチ装置では、１倍寸法のキートップ４が配置されている。図２（Ａ），（Ｂ）のキースイッチ装置は、キャップ状に形成されたキートップ４と、移動部材としてのスライダ２１と、スライダ２１を支持する支持部１２ａを含む基材１２と、メンブレンシート１３と、ラバーカップ１４とを有する。支持部１２ａは、上方から見ると正方形であり、管状に形成されている。また、隣接する複数の支持部１２ａ間の間隔は、全て同一である。
【００１５】
本実施の形態においては、メンブレンシート１３に含まれる接点６０と、ラバーカップ１４と、支持部１２ａとを含む部分をユニット部と称する。１つのユニット部は、１つのスライダ２１を支持する。本実施の形態におけるキーボード２は、複数のユニット部を有する。図２（Ａ）及び図２（Ｂ）に示すキースイッチ装置では、１つのユニット部上にスライダ２１が配置されている。
【００１６】
キートップ４は、スライダ２１に支持されている。スライダ２１は、一つの支持部１２ａに嵌合し、ラバーカップ１４を押圧する。キートップ４は、爪部４ａによりスライダ２１に固定されており、キートップ４とスライダ２１は、一体的に基材１２から取り外されたり、取り付けられたりする。
【００１７】
スライダ２１は、支持部１２ａに対して上下に摺動する。スライダ２１は、支持部１２ａの内面に対して摺動する内側壁部２９と、支持部１２ａの外面に対して摺動する外側壁部３０とを含む。内側壁部２９は、支持部１２ａの内部に挿入されている。つまり、内側壁部２９と外側壁部３０との間に支持部１２ａは挟まれている。
【００１８】
スライダ２１の内側壁部２９は、基材１２にスライダ２１を係止させるための係止爪２６を有する。係止爪２６は、基材１２に形成されている係止部１２ｂに係止している。係止爪２６が係止部１２ｂに引っかかることにより、スライダ２１が基材１２から外れることが防止される。また、内側壁部２９の先端には、ラバーカップ１４を押圧するための押圧部２７が形成されている。
【００１９】
基材１２の下側には、電気的接続部材としてのメンブレンシート１３が配置されている。メンブレンシート１３は、内部に接点６０を有する。接点６０は、下部電極６１ａ及び上部電極６１ｂを含む。メンブレンシート１３が押圧されることにより互いに対向する下部電極６１ａ及び上部電極６１ｂが接触し、電気的に接続される。図２（Ａ），（Ｂ）では、メンブレンシート１３は、単層構造であるが、積層構造でもよい。例えば、メンブレンシート１３は、上側層と、下側層と、上側層と下側層との間に隙間を形成するスペーサとを含んでもよい。
【００２０】
メンブレンシート１３とスライダ２１との間には、弾性部材としてのラバーカップ１４が配置されている。ラバーカップ１４は、弾性を有し、スライダ２１をメンブレンシート１３から離す向きに付勢する。
【００２１】
ラバーカップ１４は、スライダ２１の押圧部２７に当接する当接部１４ａを有する。当接部１４ａは、管状に形成されている。ラバーカップ１４の当接部１４ａは、スライダ２１の押圧部２７に押圧される。また、ラバーカップ１４は、変形部１４ｄを有する。変形部１４ｄは、当接部１４ａが押圧されたときに変形して、スライダ２１に反力を供給する。変形部１４ｄは、当接部１４ａが押圧されたときに座屈変形する。変形部１４ｄは、押圧が解除されると元の形状に戻る。ラバーカップ１４は、ラバーカップ１４が変形するときに空気が流通する凹部１４ｃを含む。凹部１４ｃは、ラバーカップ１４の下端において、メンブレンシート１３との接触面から凹むように形成されている。
【００２２】
ラバーカップ１４の上面１４ｅの裏側には、下方に向けて突出し、メンブレンシート１３の接点６０が配置されている領域を押圧する押圧部１４ｂが形成されている。また、スライダ２１には、押圧部１４ｂを押圧する平板部２８が形成されている。
【００２３】
図２（Ａ），（Ｂ）のキースイッチ装置は、使用者によりキートップ４が押下されると、矢印１０１に示すように、キートップ４及びスライダ２１が基材１２に向かって移動する。このとき、支持部１２ａに対してスライダ２１の内側壁部２９及び外側壁部３０が摺動するので、支持部１２ａに沿ってスライダ２１が移動する。下方に移動したスライダ２１の押圧部２７は、ラバーカップ１４の当接部１４ａを押圧し、これによってラバーカップ１４の変形部１４ｄが変形する。更に、スライダ２１の下方への移動に従って、スライダ２１の平板部２８がラバーカップ１４の押圧部１４ｂを押圧するため、ラバーカップ１４の押圧部１４ｂがメンブレンシート１３に接触してメンブレンシート１３を押圧する。これにより、メンブレンシート１３の内部に設けられた下部電極６１ａ及び上部電極６１ｂが電気的に接続される。
【００２４】
使用者がキートップ４から指を離すと、ラバーカップ１４が、元の形状に戻ろうとするため、ラバーカップ１４の弾性によって、キートップ４とスライダ２１とが元の位置に戻る。これによって、メンブレンシート１３が、押圧部１４ｂによって押圧されなくなるので、接点６０の上部電極６１ｂが下部電極６１ａから開放される。このように、本実施の形態のキースイッチ装置は、メンブレンシート１３に形成されている下部電極６１ａ及び上部電極６１ｂを接続又は開放することができる。
【００２５】
図３は、４倍寸法のキートップ５が配置されているキーボード２の分解斜視図である。図４は、スライダ２１及び非スライダ２２が装着されたキートップ５の裏面を示す図である。図５は、キーボード２が組み立てられた場合の図３のＣ−Ｃ線の断面図である。図６は、キーボード２が組み立てられた場合の図３のＤ−Ｄ線の断面図である。
【００２６】
図３に示すように、キーボード２は、４倍寸法のキートップ５と、ばね４１と、スライダ２１と、非摺動部の一例である非スライダ２２と、基材１２と、メンブレンシート１３と、ラバーカップ１４とを備えている。非スライダ２２は、中央に穴２３を有し、ばね４１が穴２３に挿入される。ばね４１は、非スライダ２２の底面とキートップ５との間に配置される。スライダ２１は、非スライダ２２よりも高い（図５のスライダ２１の高さｈ１及び非スライダ２２の高さｈ２を参照）。スライダ２１及び非スライダ２２は、それぞれ頭部２１ａ，２２ａ及び胴部２１ｂ，２２ｂを備えている。頭部２１ａ，２２ａは、キートップ５の裏面に装着され、胴部２１ｂ，２２ｂは、対角に配置された２つの支持部１２ａにそれぞれ挿入される。
【００２７】
基材１２は、管状の４つの支持部１２ａを含む。メンブレンシート１３に形成されている４つの接点６０（図３で不図示）と４つの支持部１２ａとの間に４つのラバーカップ１４が配置されている。尚、本実施の形態では複数の支持部１２ａの構造は同一なので、キートップを他のキートップに交換する際には、所望の位置の支持部１２ａにスライダ２１及び／又は非スライダ２２を取り外し又は取り付ければよく、キートップの大きさの変更及びキーレイアウトの変更が容易である。
【００２８】
キートップ５が押下されると、非スライダ２２は直下のラバーカップ１４を押し下げず、ばね４１が縮む一方、スライダ２１は直下のラバーカップ１４を押し下げる。キートップ５から手が離れると、ばね４１が伸びることによって、キートップ５を押し上げると共に、スライダ２１直下のラバーカップ１４が元の形状に戻ることによってスライダ２１を介してキートップ５を押し上げる。
【００２９】
図４に示すように、４倍寸法のキートップ５の裏側には、２つのスライダ２１を配置するための凹部７ａ及び２つの非スライダ２２を配置するための凹部７ｂが形成されている。凹部７ａ及び凹部７ｂの各々は、４つの壁部５ａによって囲まれている。凹部７ａには、スライダ２１を固定するための爪部５ｂが設けられている。一方、凹部７ｂには、非スライダ２２を固定するための爪部５ｃが設けられている。非スライダ２２を配置するための凹部７ｂの中央には、管状の突出部４０及び棒状部４５が形成されている。管状の突出部４０及び棒状部４５は、図４の紙面に対して上方に伸びる。棒状部４５は、突出部４０の中央に配置される。ばね４１は、棒状部４５と突出部４０との間に配置される。
【００３０】
図５及び図６に示すように、キーボード２では、２つのユニット部にスライダ２１及び非スライダ２２が取り付けられている。キートップ５は、スライダ２１及び非スライダ２２の上部に装着されている。キートップ５、スライダ２１及び非スライダ２２はユニット部に一体的に取り付け、又はユニット部から一体的に取り外すことができる。
【００３１】
スライダ２１及び非スライダ２２に係合する複数のユニット部は、キートップ５が押下されたときに、下部電極６１ａ及び上部電極６１ｂが互いに接続されるユニット部と、下部電極６１ａ及び上部電極６１ｂが接続されずに開放状態が維持されるユニット部とに分別される。本実施の形態において、下部電極６１ａ及び上部電極６１ｂが接続されるユニット部を接続ユニット部と称し、下部電極６１ａ及び上部電極６１ｂの開放状態が維持されるユニット部を非接続ユニット部と称する。矢印９５に示す領域は、接続ユニット部が配置されている領域であり、矢印９６に示す領域が、非接続ユニット部が配置されている領域である。
【００３２】
図６の矢印９５に示す領域に配置されているキースイッチ装置の構造は、図２（Ｂ）に示す１倍寸法のキートップ４を含むキースイッチ装置の構造と同様である。図６では、スライダ２１は接続ユニット部に係合している。図６では、外側壁部３０はキートップ５の壁部５ａに密着しており、外側壁部３０とキートップ５の壁部５ａとの間に遊びとしての空隙は存在しない。内側壁部２９と支持部１２ａとの間及び外側壁部３０と支持部１２ａとの間にも遊びとしての空隙は存在しない。従って、スライダ２１は、上下動はできるがＹ方向の移動ができない。
【００３３】
図５の矢印９５に示す領域では、スライダ２１の外側壁部３０とキートップ５の壁部５ａとの間に遊びとしての空隙４２が設けられ、支持部１２ａとスライダ２１の内側壁部２９及び外側壁部３０との間に遊びとしての空隙４３が設けられている。空隙４２及び４３の幅は、例えば約０．５ｍｍである。このように、Ｘ方向に空隙４２及び４３が設けられているので、スライダ２１はＸ方向に移動可能である。結果として、スライダ２１は、上下動はできＸ方向に移動可能であるが、Ｙ方向の移動ができない。換言すれば、スライダ２１はＹ方向で拘束され、Ｘ方向でがたつきを有する。図５の矢印９５に示す領域に配置されているキースイッチ装置のその他の構造は、図２（Ａ）に示すキートップ４を含むキースイッチ装置の構造と同様である。
【００３４】
図５及び図６の矢印９６に示す領域において、非スライダ２２は非接続ユニット部に係合する。図５に示すように、非スライダ２２の高さｈ２はスライダ２１の高さｈ１よりも低い。図６の矢印９６に示す領域において、突出部４０及び棒状部４５がキートップ５の裏側から下方に向けて延伸する。
【００３５】
図６の矢印９６に示す領域において、非スライダ２２は、支持部１２ａに対向する内側壁部３１と、支持部１２ａに対向する外側壁部３２と、内側壁部３１及び外側壁部３２の上端を連結する連結部３３と、外側壁部３２の下端から水平に伸張するつば部３４と、底部３５と、底部３５から上方に突出する突起３７とを備えている。内側壁部３１は、支持部１２ａの内部に挿入されている。内側壁部３１と外側壁部３２との間に支持部１２ａは挟まれており、支持部１２ａの上端が連結部３３に当接する。非スライダ２２は、スライダ２１と異なり支持部１２ａに対して上下に摺動しない。従って、非スライダ２２はラバーカップ１４に接触せず、メンブレンシート１３の内部の接点６０では開放された状態が維持される。
【００３６】
突出部４０及び棒状部４５は内側壁部３１の内側に挿入される。棒状部４５は突起３７と対向している。ばね４１は、棒状部４５及び突起３７の外周を巻くように配置され、さらに非スライダ２２とキートップ５の裏側との間且つ突出部４０と棒状部４５との間に配置される。
【００３７】
図５及び図６の矢印９６に示す領域では、キートップ５の裏側には凹部７ｂの空間が存在するので、キートップ５が非スライダ２２及び支持部１２ａに対して上下に摺動する。キートップ５が押下されると、キートップ５がばね４１を縮める。キートップ５が完全に押し下げられると、突出部４０の下端４０ａが底部３５に接触し、連結部３３がキートップ５の裏側に接触する。キートップ５から手が離れると、ばね４１が、伸びることによって、キートップ５を押し上げる。
【００３８】
ここで、図５の矢印９６に示す領域では、突出部４０は内側壁部３１に摺動可能に密着しており、突出部４０と内側壁部３１との間に遊びとしての空隙は存在しない。また、内側壁部３１と支持部１２ａとの間及び外側壁部３２と支持部１２ａとの間にも遊びとしての空隙は存在しない。従って、突出部４０は、上下動はできるものの、非スライダ２２はＸ方向の移動ができない。
【００３９】
図６の矢印９６に示す領域では、非スライダ２２の内側壁部３１とキートップ５の突出部４０との間に遊びとしての空隙４６が設けられ、支持部１２ａと非スライダ２２の内側壁部３１及び外側壁部３２との間に遊びとしての空隙４７が設けられている。さらに、非スライダ２２のつば部３４とキートップ５の壁部５ａとの間に遊びとしての空隙４８が設けられている。空隙４６〜４８の各幅は、例えば約０．５ｍｍである。このように、Ｙ方向に空隙４６〜４８が設けられているので、非スライダ２２はＹ方向に移動可能である。結果として、非スライダ２２は、上下動及びＸ方向の移動はできないが、Ｙ方向の移動は可能である。換言すれば、非スライダ２２は、Ｘ方向で拘束されＹ方向でがたつきを有する。
【００４０】
尚、スライダ２１及び非スライダ２２の両方が、Ｘ方向及びＹ方向で拘束される場合には、キートップ５の凹部７ａ，７ｂ、突出部４０及び基材１２の支持部１２ａの位置が製造誤差によって所望の位置からわずかにずれただけで、キートップ５に装着されたスライダ２１及び非スライダ２２が支持部１２ａに挿入できないという問題が発生する。
【００４１】
図７（Ａ）は、本実施の形態に係るスライダ２１及び非スライダ２２とキートップ５と間の拘束及びがたつきを示す図である。図７（Ｂ）は、比較例に係るスライダ２１及び非スライダ２２とキートップ５と間の拘束及びがたつきを示す図である。図７（Ａ）及び図７（Ｂ）は、スライダ２１及び非スライダ２２が装着されたキートップ５の裏面を示す。図８（Ａ）は、Ｘ方向から見た場合の図７（Ａ）のスライダ２１及び非スライダ２２が装着されたキートップ５の側面図である。図８（Ｂ）は、図７（Ｂ）のα方向から見た場合の図７（Ｂ）のスライダ２１及び非スライダ２２が装着されたキートップ５の側面図である。
【００４２】
図５及び図６に示したように、図７（Ａ）では、スライダ２１は、Ｙ方向で拘束され、Ｘ方向でがたつきを有する。非スライダ２２は、Ｘ方向で拘束され、Ｙ方向でがたつきを有する。図７（Ｂ）では、スライダ２１は、Ｘ方向及びＹ方向で拘束されるものとし、非スライダ２２は、Ｘ方向及びＹ方向でがたつきを有するものとする。
【００４３】
ここで、スライダ２１及び非スライダ２２の拘束点から拘束の影響を受けにくい押下点までの最大距離を検討すると、図７（Ａ）では、最大距離は、拘束点Ｎ１から押下点Ｍ１までの距離Ｄ１になる。図７（Ｂ）では、最大距離は、拘束点Ｎ２から押下点Ｍ２までの距離Ｄ２になる。距離Ｄ２は距離Ｄ１よりも長い。押下点Ｍ１でのキートップ５の上下方向のがたつきは、図８（Ａ）に示すように、がたつきＲ１になる。押下点Ｍ２でのキートップ５の上下方向のがたつきは、図８（Ｂ）に示すように、がたつきＲ１よりも大きいがたつきＲ２になる。
【００４４】
本実施の形態では、スライダ２１及び非スライダ２２を対角に配置し、スライダ２１をＹ方向で拘束し、非スライダ２２をＸ方向で拘束しているので、スライダ２１及び非スライダ２２のいずれか一方をＸ方向及びＹ方向で拘束し且つ他方がＸ方向及びＹ方向でがたつきを有する場合に比べて、拘束点から拘束の影響を受けにくい押下点までの最大距離を短くすることができ、押下点でのキートップ５の上下方向のがたつきを小さくすることができる。その結果、キートップ５の角（例えば押下点Ｍ２）が押下された場合に、接点６０がオンしない状態（つまり、キー入力が実行されない状態）を防止できる。
【００４５】
本実施の形態では、スライダ２１をＹ方向で拘束し、非スライダ２２をＸ方向で拘束しているが、スライダ２１をＸ方向で拘束し、非スライダ２２をＹ方向で拘束してもよい。
【００４６】
また、本実施の形態では、４つのユニット部のうち、対角に配置された２つのユニット部にスライダ２１及び非スライダ２２を装着し、残りの２つのユニット部にスライダ２１及び非スライダ２２を装着する必要がないので、ユニット部に装着する部品数を削減することができる。
【００４７】
また、本実施の形態では、２行×２列で配置された４つの支持部１２ａ及び４倍寸法のキートップ５について説明したが、例えば、Ｋ行×Ｌ列（Ｋ，Ｌは２以上の整数）で配置されたＫ×Ｌ個の支持部１２ａのうち、対角の角（例えば、右上角及び左下角、又は左上角及び右下角）に配置された２つの支持部１２ａにスライダ２１及び非スライダ２２がそれぞれ装着され、Ｋ×Ｌ倍寸法のキートップ（つまり、Ｋ×Ｌ個の支持部１２ａに対応する面積を有するキートップ）がスライダ２１及び非スライダ２２に装着されてもよい。この構成でも、拘束点から拘束の影響を受けにくい押下点までの最大距離を短くすることができ、押下点でのキートップの上下方向のがたつきを小さくすることができる。
【００４８】
また、本実施の形態では、キートップ５は、スライダ２１及び非スライダ２２を介して複数の支持部１２ａに支持され、接続ユニット部のラバーカップ１４を押圧して上部電極６１ｂを下部電極６１ａに接続する。更に、非スライダ２２は、上下に摺動せず、ラバーカップ１４の押圧を回避する構造を有している。この構成を採用することにより、キートップ５の操作荷重（複数のユニット部に単一のスライダ及び単一の非スライダを設けた場合の操作荷重）を、キートップ４の操作荷重（単一のユニット部に単一のスライダを設けた場合の操作荷重）とほぼ同じにすることができる。従って、キートップサイズの拡大化による操作荷重の増加を抑制することができる。
【００４９】
尚、本発明は、上述した実施の形態に限定されるものではなく、その要旨を逸脱しない範囲内で種々変形して実施することが可能である。
【符号の説明】
【００５０】
２  キーボード
４，５  キートップ
５ａ  壁部
１２  基材
１２ａ  支持部
１３  メンブレンシート
１４  ラバーカップ
２１  スライダ
２２  非スライダ
２９，３１  内側壁部
３０，３２  外側壁部
３４  つば部
４０  突出部
６０  接点
【図１】
2018005700.tif 000003
【図２】
2018005700.tif 000004
【図３】
2018005700.tif 000005
【図４】
2018005700.tif 000006
【図５】
2018005700.tif 000007
【図６】
2018005700.tif 000008
【図７】
2018005700.tif 000009
【図８】
2018005700.tif 000010